(57)【要約】【課題】安価な構成にて、用途に応じた原稿搬送を行うことができる自動原稿搬送装置を提供する。【解決手段】原稿台２１に置かれた原稿を所定の画像読取位置へ搬送する自動搬送装置２０は、原稿台２１に置かれた原稿をピックアップする第１及び第２ピックアップローラー２２、２３と、原稿台２１に置かれた原稿の読取順序に応じて、第１ピックアップローラー２２及び第２ピックアップローラー２３のうちのいずれかを駆動させる制御部２７を有する。また、制御部２７は、原稿台２１に置かれた原稿の上面から原稿をピックアップする際は、第１ピックアップローラー２２を駆動させ、原稿台２１に置かれた原稿の下面から原稿をピックアップする際は、第２ピックアップローラー２３を駆動させる。【選択図】          図１
2005001869.tif 000002
【特許請求の範囲】
【請求項１】
原稿台に置かれた原稿を所定の画像読取位置へ搬送する自動搬送装置において、
前記原稿台に置かれた原稿をピックアップする第１及び第２ピックアップローラーと、
前記原稿台に置かれた原稿の読取順序に応じて、前記第１ピックアップローラー及び前記第２ピックアップローラーのうちのいずれかを駆動させる制御部とを有することを特徴とする自動原稿搬送装置。
【請求項２】
前記制御部は、前記原稿台に置かれた原稿の上面から原稿をピックアップするときは、前記第１ピックアップローラーを駆動させ、前記原稿台に置かれた原稿の下面から原稿をピックアップするときは、前記第２ピックアップローラーを駆動させることを特徴とする請求項１記載の自動原稿搬送装置。
【請求項３】
原稿を所定の画像読取位置へ搬送する自動搬送装置において、
第１原稿台に置かれた原稿をピックアップする第１ピックアップローラーと、
第２原稿台に置かれた原稿をピックアップする第２ピックアップローラーと、
前記第１原稿台又は前記第２原稿台に置かれた原稿の状態に応じて、前記第１ピックアップローラー及び前記第２ピックアップローラーのうちのいずれかを駆動させる制御部とを有することを特徴とする自動原稿搬送装置。
【請求項４】
前記自動原稿搬送装置は更に、原稿の搬送方向に応じてローラーの回転方向が切り替わる搬送ローラーを有することを特徴とする請求項３記載の自動原稿搬送装置。
【請求項５】
前記制御部は、前記第１原稿台に原稿が置かれた際に、前記第２原稿台を、画像読取後の原稿をスタックするための用紙スタック部として用いることを特徴とする請求項３又は請求項４記載の自動原稿搬送装置。
【請求項６】
前記制御部は、前記第２原稿台を用紙スタック部として用いる際に、前記第２原稿台の用紙収容量を変更することを特徴とする請求項５記載の自動原稿搬送装置。
【請求項７】
自動原稿搬送装置と、前記自動原稿搬送装置により搬送された原稿を読み取る画像読取部と、画像制御部とを有する画像処理装置において、
前記自動原稿搬送装置は、請求項１から請求項６のいずれか一項に記載の自動原稿搬送装置であることを特徴とする画像処理装置。
【請求項８】
前記画像制御部は、原稿が前記第１原稿台又は前記第２原稿台に置かれたかによって、前記画像読取部が読み取った画像の処理を自動的に切り替えることを特徴とする請求項７記載の画像処理装置。
【請求項９】
前記画像制御部は、前記第１原稿台に原稿が置かれた際に、コピー動作又は読取画像データを所定の情報処理装置に転送することを特徴とする請求項７又は請求項８記載の画像処理装置。
【請求項１０】
前記画像制御部は、前記読取画像データを前記情報処理装置に転送する際に、前記読取画像データに対して、読取順序を含む読取情報を付加することを特徴とする請求項９記載の画像処理装置。
【請求項１１】
前記画像制御部は、前記各原稿台に原稿が置かれた際に、前記画像読取部での読取後の処理をユーザーに選択させるためのユーザーインターフェースを所定の表示装置に表示することを特徴とする請求項７から請求項１０のいずれか一項に記載の画像処理装置。
【発明の詳細な説明】
【０００１】
【発明の属する技術分野】
本発明は、自動原稿搬送装置及び画像処理装置に関する。
【０００２】
【従来の技術】
近年、インクジェット方式を採用したマルチファンクション機器が開発されており、１台でコピー・スキャン・プリント・ＦＡＸなどの多機能な処理をできるようになってきている。インクジェットの印字方式では、印字後にインク乾燥時間が必要なため、印字面を上に向けて出力するフェイスアップ出力方式が一般的である。
【０００３】
しかし、印字面を下にして出力してしまうと、乾燥していないインクによって出力用紙が汚れてしまう恐れがあるため、印字面を上にして出力して、さらにインクが乾燥するまでに要する時間だけ次の用紙に印字することをウエイトするといった処理がなされている。
【０００４】
また、コピー機能等を便利にするために、自動原稿送り装置（ＡＤＦ：Ａｕｔｏｍａｔｉｃ  Ｄｏｃｕｍｅｎｔ  Ｆｅｅｄｅｒ）を装着している場合がある。コピーの場合、印字面が上になり次々と印字後の用紙が重なるフェイスアップ出力になるので、印字順序が正しくなるように、自動原稿送り装置では最終ページから原稿を読み込む必要がある。そのため、自動原稿送り装置は最終ページから読み込むように作られていた。
【０００５】
一方、スキャンしたデータをパーソナルコンピュータへ転送する（以下、「ＰＣスキャン」という）場合には、画像フォーマットの仕様から、最終ページからではなく先頭ページ（１枚目）から原稿を読み込む必要がある。この場合、先頭にファイル情報を示すヘッダーがあり順次ページ毎の画像データが続いている。
【０００６】
また、最終ページから先頭ページへと読み込むタイプのＡＤＦを有している機器では、ＰＣスキャンをしようとした場合には、内部にメモリやハードディスク装置などをもたせて電子ソートを行うことが提案されている（特許文献１）。
【０００７】
この特許文献１記載の画像処理装置によれば、原稿等を画像入力部で読み取り、その画像データを画像記憶部に記憶させる。制御部は、画像記憶部に記憶されている複数枚分の原稿画像の読み取り順序にかかわらず、原稿のページ順に送信するような制御を実行する。これにより、始めに原稿の最終ページが読み取られ、最後に原稿の最初のページが読み取られた場合でも、原稿のページ順に送出処理をおこなうことができるというものである。
【０００８】
【特許文献１】
特開平８−２３７４０１号公報
【発明が解決しようとする課題】
しかしながら、特許文献１記載の画像処理装置では、画像入力部で読み取った画像データを記憶させるためのメモリやハードディスク等の画像記憶部が必要となり、高価なシステムとなってしまうという問題があった。さらにすべての原稿の読み込みが終了しないと１枚目の画像データが出力できないといった応答性が悪いという問題点もある。
【０００９】
本発明は、上記問題点に鑑みてなされたもので、安価な構成にて、用途に応じた原稿搬送を行うことができる自動原稿搬送装置及び画像処理装置を提供することを目的とする。
【００１０】
【課題を解決するための手段】
上記課題を解決するために、請求項１記載の自動原稿搬送装置は、原稿台に置かれた原稿を所定の画像読取位置へ搬送する自動搬送装置において、前記原稿台に置かれた原稿をピックアップする第１及び第２ピックアップローラーと、前記原稿台に置かれた原稿の読取順序に応じて、前記第１ピックアップローラー及び前記第２ピックアップローラーのうちのいずれかを駆動させる制御部とを有することを特徴とする。
【００１１】
請求項１記載の発明によれば、原稿台に置かれた原稿の読取順序に応じて、第１ピックアップローラー又は第２ピックアップローラーを駆動させるようにしたので、例えば、コピーやＰＣスキャンなどの用途に応じた原稿搬送ができる。これにより、電子ソート用の例えばハードディスクやメモリを使用することなく安価なシステムを構成することができる。また、すべての原稿の読み込みが終了しなくても１枚目の画像データが出力できるので、応答性が悪いという問題点も解決される。
【００１２】
また、本発明は、請求項２に記載のように、請求項１記載の自動原稿搬送装置において、前記制御部は、前記原稿台に置かれた原稿の上面から原稿をピックアップするときは、前記第１ピックアップローラーを駆動させ、前記原稿台に置かれた原稿の下面から原稿をピックアップするときは、前記第２ピックアップローラーを駆動させることを特徴とする。
【００１３】
請求項２記載の発明によれば、原稿台に置かれた原稿束の上面から原稿をピックアップするときは、第１ピックアップローラーを駆動させ、原稿台に置かれた原稿束の下面から原稿をピックアップするときは、第２ピックアップローラーを駆動させるようにしたので、例えば、コピーやＰＣスキャンなどの用途に応じて原稿搬送ができる。これにより、電子ソート用の例えばハードディスクやメモリを使用することなく安価なシステムを構成することができる。
【００１４】
また、請求項３記載の自動原稿搬送装置は、原稿を所定の画像読取位置へ搬送する自動搬送装置において、第１原稿台に置かれた原稿をピックアップする第１ピックアップローラーと、第２原稿台に置かれた原稿をピックアップする第２ピックアップローラーと、前記第１原稿台又は前記第２原稿台に置かれた原稿の状態に応じて、前記第１ピックアップローラー及び前記第２ピックアップローラーのうちのいずれかを駆動させる制御部とを有することを特徴とする。
【００１５】
請求項３記載の発明によれば、第１原稿台又は第２原稿台に置かれた原稿の状態に応じて、第１ピックアップローラー又は第２ピックアップローラーを駆動させるようにしたので、用途に応じて原稿台を使い分けることができる。これにより、コピーやＰＣスキャンなどの用途に応じた原稿搬送ができる。従って、電子ソート用の例えばハードディスクやメモリを使用することなく安価なシステムを構成することができる。
【００１６】
また、請求項４記載の自動原稿搬送装置は、請求項３記載の自動原稿搬送装置において、更に、原稿の搬送方向に応じてローラーの回転方向が切り替わる搬送ローラーを有することを特徴とする。請求項４記載の発明によれば、用紙搬送方向に応じて搬送ローラーの回転方向を切り替えるようにしたので、ピックアップローラーと共に用紙搬送ローラーを連動させて、例えば、後述の図２に示すように、Ｕ字型を横にする等のような様々な形状の自動原稿搬送装置を実現できる。
【００１７】
また、本発明は、請求項５に記載のように、請求項３又は請求項４記載の自動原稿搬送装置において、前記制御部は、前記第１原稿台に原稿が置かれた際に、前記第２原稿台を、画像読取後の原稿をスタックするための用紙スタック部として用いることを特徴とする。請求項５記載の発明によれば、第２原稿台を用紙スタック部として用いるようにしたので、用紙スタック部を別途設ける必要がない。
【００１８】
また、本発明は、請求項６に記載のように、請求項５記載の自動原稿搬送装置において、前記制御部は、前記第２原稿台を用紙スタック部として用いる際に、前記第２原稿台の用紙収容量を変更することを特徴とする。請求項６記載の発明によれば、第２原稿台を用紙スタック部として用いる際に、第２原稿台の用紙収容量を変更するようにしたので、第１原稿台を用紙を搬出する機能として使用し、第２原稿台を搬送された用紙をスタックしておくものとして使用することができる。
【００１９】
また、請求項７記載の画像処理装置は、自動原稿搬送装置と、前記自動原稿搬送装置により搬送された原稿を読み取る画像読取部と、画像制御部とを有する画像処理装置において、前記自動原稿搬送装置は、請求項１から請求項６のいずれか一項に記載の自動原稿搬送装置であることを特徴とする。請求項７記載の発明によれば、例えば、コピーやＰＣスキャンなどの用途に応じて原稿搬送を行うことができる。これにより、電子ソート用の例えばハードディスクやメモリを使用することなく安価なシステムを構成することができる。
【００２０】
また、本発明は、請求項８に記載のように、請求項７記載の画像処理装置において、前記画像制御部は、原稿が前記第１原稿台又は前記第２原稿台に置かれたかによって、前記画像読取部が読み取った画像の処理を自動的に切り替えることを特徴とする。請求項８記載の発明によれば、どこの原稿台に原稿が置かれたかによって画像読取後の処理を自動的に切り替えるようにしたので、例えば第１原稿台に原稿が置かれた場合には、ある動作を、第２原稿台に原稿が置かれた場合には、別な動作を行わせるというように、あらかじめ決められた動作を自動的に行わせることができる。
【００２１】
また、本発明は、請求項９に記載のように、請求項７又は請求項８記載の画像処理装置において、前記画像制御部は、前記第１原稿台に原稿が置かれた際に、コピー動作又は読取画像データを所定の情報処理装置に転送することを特徴とする。請求項９記載の発明によれば、第１原稿台に原稿が置かれた際に、コピー動作又は読取画像データを所定の情報処理装置に転送するようにしたので、ユーザーの手間をかけることなく自動的にコピー動作又は読み取り画像の転送を行うことができる。
【００２２】
また、本発明は、請求項１０に記載のように、請求項９記載の画像処理装置において、前記画像制御部は、前記読取画像データを前記情報処理装置に転送する際に、前記読取画像データに対して、読取順序を含む読取情報を付加することを特徴とする。請求項１０記載の発明によれば、読み取り画像を情報処理装置へ転送する際に、読取画像データに読取順序を含む読取情報を付加するようにするにしたので、その読取情報をもとにして画像データを受け取った情報処理装置側で読取順序に応じた適切な処理を行わせることができる。
【００２３】
また、本発明は、請求項１１に記載のように、請求項７から請求項１０のいずれか一項に記載の画像処理装置において、前記画像制御部は、前記各原稿台に原稿が置かれた際に、前記画像読取部での読取後の処理をユーザーに選択させるためのユーザーインターフェースを所定の表示装置に表示することを特徴とする。
【００２４】
請求項１１記載の発明によれば、原稿台に原稿が置かれた際に、コントロールパネルなどのユーザーインターフェースによってどちらの操作を行うかを問い合わせるようにしたので、ユーザーに対する利便性を向上させることができる。例えば、第１原稿台には、すでに前のユーザーが処理した原稿が置かれており、同じ処理を別のユーザーが行おうとして原稿を置いた場合には、自動的にユーザー問い合わせが行われ、どの処理を行うのかをユーザーが選択することにより、処理が正常に行われるようになる。
【００２５】
【発明の実施の形態】
（第１の実施の形態）
以下、図面を参照して第１の実施の形態について詳細に説明する。図１は、第１実施形態に係る画像処理装置を示す図である。図１に示すように、第１実施形態に係る画像処理装置１０は、自動原稿搬送装置２０、センサー３０、光源３１、画像処理部３２、画像送信部３３、画像制御部３４、操作部３５を備える。また、画像処理装置１０は、情報処理装置４０、画像形成装置４１、表示装置４２に接続されている。
【００２６】
自動原稿搬送装置２０は、原稿台に置かれた原稿を所定の画像読取部へ搬送するものである。また、この自動原稿搬送装置２０は、例えばインクジェット印字方式を採用したマルチファンクションシステム等に利用される。
【００２７】
画像読取部の構成は公知であるため、詳細な説明は省略するが概略は以下の通りである。なお、図１では、センサー３０、光源３１だけを示している。画像読取位置には、ガラス２９が設けられており、ガラス２９の下方には、図示は省略する読取ユニットが設けられている。この読取ユニットは、ガラス２９の所定箇所にセットされた原稿を読み取る際に、光源３１等が読取位置の下方で左右方向に移動して原稿面を読み取るようになっている。光源３１および反射板にて照射した光の原稿面からの反射光を、センサー３０に導いて、結像素子に結像して原稿上の画像情報を読み取るようになっている。
【００２８】
画像処理部３２は、センサー３０により読み取った画像データを所定の画像データに変換する等の各種の画像処理を行い、その処理結果を画像送信部３３へ送出する。画像送信部３３は、画像処理部３２からの画像データを外部の情報処理装置４０又は画像形成装置４１へ転送する。
【００２９】
画像制御部３４は、センサー３０、光源３１、画像処理部３２、画像送信部３３等の画像処理装置１０全体を制御する。操作部３５は、液晶表示器及びタッチスイッチを備えて構成され、使用者が動作モードの入力や各種動作のスタートの指示入力等を行うために用いられる。
【００３０】
また、図１に示すように、自動原稿搬送装置２０は、原稿台２１、第１ピックアップローラー２２、第２ピックアップローラー２３、搬送ローラー２４、搬送ローラー２５、用紙スタック部２６、制御部２７を備える。原稿台２１には、画像読取部で読み取るための原稿２８が置かれている。
【００３１】
第１ピックアップローラー２２は、原稿台２１に置かれた複数毎の原稿束の上面から原稿をピックアップするものである。第２ピックアップローラー２３は、原稿台２１に置かれた複数毎の原稿束の下面から原稿をピックアップするものである。搬送ローラー２４は、第１及び第２ピックアップローラー２２、２３によりピックアップされた原稿をセンサー３０上部の読取位置に搬送する。
【００３２】
搬送ローラー２５は、センサー３０上部の読取位置に置かれた原稿を用紙スタック部２６へ搬送する。用紙スタック部２６は、搬送ローラー２５により搬送された原稿をスタックする箇所である。
【００３３】
制御部２７は、自動原稿搬送装置２０全体を制御するとともに、原稿台２１に置かれた原稿の読取順序に応じて、第１ピックピックアップローラー２２又は第２ピックアップローラー２３を駆動させる。より詳細には、制御部２７は、原稿台２１に置かれた原稿束の上面から原稿２８をピックアップするときは、第１ピックアップローラー２２を駆動させ、原稿台２１に置かれた原稿束の下面から原稿２８をピックアップするときは、第２ピックアップローラー２３を駆動させる。
【００３４】
例えば、制御部２７は、１枚目（先頭ページ）を上にして原稿台２１上に原稿を置く場合には、第１ピックアップローラー２２を駆動させて用紙搬送が始まるようにしておき、１枚目（先頭ページ）が下向きに置かれた場合には、第２ピックアップローラー２３を駆動させるようにすることにより、コピーやＰＣスキャンなどの目的に応じた原稿送りが可能となる。処理系に最適な画像の読み込み方法を得ることができる。
【００３５】
また、制御部２７は、コピー時など最終ページからピックアップしたい場合には、第１ピックアップローラー２２を駆動させ、ＰＣスキャン時など１ページ目からピックアップしたい場合には、第２ピックアップローラー２３を駆動させるようにすることにより、多機能なシステムに対応することができる。なお、この場合、原稿台２１からセンサー３０までの搬送経路中に、用紙を反転させる装置が必要になるが、図１に示す例では、図示を省略している。なお、制御部２７の機能を画像制御部３４で実現するようにしてもよい。
【００３６】
また、情報処理装置４０は、例えばパーソナルコンピュータ等により構成されている。画像形成装置４１は、コピー動作を実現し、画像送信部３３から送信された画像データに基づき、用紙上に画像を形成するものである。
【００３７】
表示装置４２は、原稿台２１に原稿が置かれた際に、画像読取部での読取後の処理をユーザーに選択させるためのユーザーインターフェースを表示するためのものである。
【００３８】
次に、第１実施形態に係る画像処理装置の動作について説明する。まず、原稿を原稿束の上部から引き出す場合には、制御部２７の制御により、自動原稿搬送装置２０の第１ピックアップローラー２２が原稿台２１上の原稿の用紙面にあたるように機構部分が動いて、ローラーの回転が始まると原稿２８の搬送が行われる。
【００３９】
また、原稿束の最下部の原稿２８を引き出す場合には、制御部２７の制御により、第２ピックアップローラー２３が原稿台２１上の原稿の用紙面にあたるように機構部分が動いて、ローラーの回転が始まると原稿の搬送が行われる。第１ピックアップローラー２２又は第２ピックアップローラー２３により搬送された原稿は、搬送ローラー２４を介して読取位置に置かれる。読み終わった原稿は、搬送ローラー２５を介して、用紙スタック部２６に搬送される。
【００４０】
読取位置に置かれた原稿は、センサー３０、光線３１により画像が読み取られ、読取画像が画像処理部３２へ転送される。画像処理部３２は、転送された画像データに、ユーザーの操作部３５からの指示に基づく画像処理を行い、処理後の画像データを画像送信部３３へ送出する。画像送信部３３は、画像処理部３２からの画像データを、情報処理装置４０又は画像形成装置４１へ転送する。
【００４１】
画像送信部３３は、画像データを情報処理装置４０に転送する場合は、画像制御部３４から取得した読取情報を、情報処理装置４０に転送する画像データに付加する。このように、読み取り画像を情報処理装置４０へ転送する際に、所定の読取情報を画像データに付加することにより、その読取情報をもとにして画像データを受け取った情報処理装置４０側で適切な処理を行わせることができる。
【００４２】
例えば、第１原稿台に原稿が置かれた場合には、逆順（最終ページ目から）で画像読み取りがおこなわれると定めた場合、その情報を画像データに付加しておき、画像データを受け取った情報処理装置４０側では逆順となっている画像データを正順に並び替える処理を行わせることができる。
【００４３】
第１実施形態によれば、原稿台に置かれた原稿の読取順序に応じて、第１ピックアップローラー２２又は第２ピックアップローラー２３を駆動させるようにしたので、例えば、コピーやＰＣスキャンなどの用途に応じた原稿搬送ができる。これにより、電子ソート用の例えばハードディスクやメモリを使用することなく安価なシステムを構成することができる。また、すべての原稿の読み込みが終了しなくても１枚目の画像データが出力できるので、応答性も良い。
【００４４】
（第２の実施の形態）
次に、第２実施形態について説明する。図２は、第２実施形態に係る画像処理装置を説明するための図である。図２に示すように、第２実施形態に係る画像処理装置１１０は、自動原稿搬送装置１２０、センサー３０、光源３１、画像処理部３２、画像送信部３３、画像制御部３４、操作部３５を備える。
【００４５】
また、画像処理装置１１０は、情報処理装置４０、画像形成装置４１、表示装置４２に接続されている。なお、第１実施形態と同一箇所については同一符号を用いるものとして、その説明を省略する。
【００４６】
図２に示すように、自動原稿搬送装置１２０は、第１ピックアップローラー１２２、第２ピックアップローラー１２３、搬送ローラー１２４、１２５、１２６、制御部１２７、第１原稿台１２８、第２原稿台１２９を備える。第２実施形態に係る自動原稿搬送装置１２０は、用紙搬送方向に応じて搬送ローラー１２６の回転方向を切り替えるようにしたものである。
【００４７】
第１ピックアップローラー１２２は、第１原稿台１２８に置かれた複数毎の原稿束の上面から原稿をピックアップするものである。第２ピックアップローラー１２３は、第２原稿台１２９に置かれた複数毎の原稿束の下面から原稿をピックアップする。
【００４８】
搬送ローラー１２４は、第１ピックアップローラー１２２でピックアップされた原稿をセンサー３０上部の読み取り位置へ搬送するためのものである。搬送ローラー１２５は、第２ピックアップローラー１２３でピックアップされた原稿をセンサー３０上部の読み取り位置へ搬送するためのものである。
【００４９】
搬送ローラー１２６は、制御部１２７により回転方向が切り替わるように制御され、第１ピックアップローラー１２２側から原稿が搬送される場合には、時計回りと逆方向に回転し、第２ピックアップローラー１２３側から原稿が搬送される場合には、時計回りに原稿が搬送される。制御部１２７は、自動原稿搬送装置１２０全体を制御するとともに、原稿の搬送方向に応じて、第１ピックピックアップローラー１２２又は第２ピックアップローラー１２３を駆動させる。
【００５０】
次に、第２実施形態に係る画像処理装置の動作について説明する。まず、制御部１２７は、原稿が第１原稿台１２８又は第２原稿台１２９に原稿が置かれたことを検出する。次に、画像制御部３４は、制御部１２７から制御信号を受信すると、表示装置４２に、画像読取部での読取後の処理をユーザーに選択させるためのユーザーインターフェースを表示する。
【００５１】
この表示に基づき、ユーザーは、操作部３５等を使ってコピー動作、ＰＣスキャン動作等の処理を特定する。なお、ユーザーにユーザーインターフェースを提供するのではなく、例えば、第１原稿台１２８に原稿が置かれた場合は、コピー動作を行い、第２原稿台１２９に原稿が置かれた場合は、ＰＣスキャン動作を行うように、どこの原稿台に原稿が置かれたかによって、自動的に読取後の処理を切り替えるようにしてもよい。
【００５２】
次に、制御部１２７は、第１原稿台１２８に原稿が置かれた場合は、第１ピックアップローラー１２２を駆動させ、第２原稿台１２９に原稿が置かれた場合は、第２ピックアップローラー１２３を駆動させて原稿用紙の搬送を行う。また、制御部１２７は、第１ピックアップローラー１２２又は第２ピックアップローラー１２３の駆動に伴い、搬送ローラー１２４又は搬送ローラー１２５を回転させる。
【００５３】
制御部１２７は、原稿の搬送方向に応じて、搬送ローラー１２６の回転方向を制御する。すなわち、制御部１２７は、第１ピックアップローラー１２２を駆動させる際には、搬送ローラー１２６を時計回りと反対方向に回転させ、第２ピックアップローラー１２３を駆動させる際には、搬送ローラー１２６を時計回りに回転させる。
【００５４】
このようにして、読取位置に置かれた原稿は、センサー３０、光線３１により画像が読み取られ、読取画像が画像処理部３２へ転送される。画像処理部３２は、転送された画像データに、ユーザーの操作部３５からの指示に基づく画像処理を行い、処理後の画像データを画像送信部３３へ送出する。画像送信部３３は、画像処理部３２からの画像データを、情報処理装置４０又は画像形成装置４１へ転送する。
【００５５】
画像送信部３３は、画像データを情報処理装置４０に転送する場合は、画像制御部３４から取得した読取情報を、情報処理装置４０に転送する画像データに付加する。このように、読み取り画像を情報処理装置４０へ転送する際に、所定の読取情報を画像データに付加することにより、その読取情報をもとにして画像データを受け取った情報処理装置４０側で適切な処理を行わせることができる。
【００５６】
例えば、第１原稿台１２８に原稿が置かれた場合には、逆順（最終ページ目から）で画像読み取りがおこなわれると定めた場合、その情報を画像データに付加しておき、画像データを受け取った情報処理装置４０側では逆順となっている画像データを正順に並び替える処理を行わせることができる。
【００５７】
第２実施形態によれば、第１原稿台１２８又は第２原稿台１２９に置かれた原稿の状態に応じて、第１ピックアップローラー１２２又は第２ピックアップローラー１２３を駆動させるようにしたので、用途に応じて原稿台を使い分けることができる。これにより、コピーやＰＣスキャンなどの用途に応じた原稿搬送ができる。従って、電子ソート用の例えばハードディスクやメモリを使用することなく安価なシステムを構成することができる。
【００５８】
また、用紙搬送方向に応じて搬送ローラー１２６の回転方向を切り替えることにより、第１ピックアップローラー１２２、第２ピックアップローラー１２３と共に、搬送ローラー１２６を連動させるようにしたので、図２に示すように、自動搬送装置１２０の構成を、Ｕ字型を横にしたような形状にすることができる。
【００５９】
（第３の実施の形態）
次に、第３実施形態に係る画像処理装置について説明する。第３の実施形態は、第１原稿台に原稿が置かれた際には、第２原稿台を用紙スタック部として用い、第２原稿台に原稿が置かれた際には、第１原稿台を用紙スタック部として用いるというものである。なお、第２実施形態に係る自動原稿搬送装置と同一の構成であるため、図２を用いて説明する。
【００６０】
第３実施形態に係る自動原稿搬送装置の動作について説明する。制御部１２７は、第１原稿台１２８又は第２原稿台１２９に原稿が置かれたかを検出し、第１原稿台１２８に原稿が置かれた場合には、第２原稿台１２９を用紙スタック部として用いるために、点線で示した第２原稿台１２９の底部１２９Ａの位置を上下に移動させて深さを変えることにより、用紙スタック部の用紙収容量を変更する。
【００６１】
次に、制御部１２７は、第１原稿台１２８に原稿が置かれた際には、第１ピックアップローラー１２２を駆動させて、第１原稿台１２８に置かれた複数毎の用紙束の上面から原稿をピックアップする。第１ピックアップローラー１２２によりピックアップされた原稿は、搬送ローラー１２５、搬送ローラー１２６を介して画像読取位置に搬送される。
【００６２】
画像の読取が終わった原稿は、搬送ローラー１２６、１２５を介して、第２原稿台１２９に搬送される。この時、第２原稿台１２９は、その底部１２９Ａが下方に下がって、用紙収容量が増えているため、用紙スタック部として用いることができる。
【００６３】
第３実施形態によれば、上段の第１原稿台１２８に原稿が置かれた場合には、多くの用紙を蓄えることができるように、下段の第２原稿台１２９の底部１２９Ａをバスケット状に高さが下がるようにしたので、第２原稿台１２９を用紙スタック部として用いることができる。
【００６４】
また、下段の第２原稿台１２９に原稿が置かれた場合には、上段の第１原稿台１２８が原稿の受け皿となるように、上段の第１原稿台１２８の底部１２８Ａがバスケット状に高さが下がり多くの用紙をスタックすることができるので、第１原稿台１２８を用紙スタック部として用いることができる。これにより、用紙スタック部を別途設ける必要がなくなる。
【００６５】
以上本発明の好ましい実施の形態について詳述したが、本発明は係る特定の実施形態に限定されるものではなく、特許請求の範囲に記載された本発明の要旨の範囲内において、種々の変形・変更が可能である。
【００６６】
【発明の効果】
以上説明したように、本発明によれば、安価な構成にて、用途に応じた原稿搬送を行うことができる自動原稿搬送装置及び画像処理装置を提供できる。
【図面の簡単な説明】
【図１】第１実施形態に係る画像処理装置を示す図である。
【図２】第２実施形態に係る画像処理装置を示す図である。
【符号の説明】
１０、１１０  画像処理装置
２０、１２０  自動原稿搬送装置
２１  原稿台
２２、１２２  第１ピックアップローラー
２３、１２３  第２ピックアップローラー
２４、２５、１２４、１２５、１２６  搬送ローラー
２６  用紙スタック部
２７、１２７  制御部
３０  センサー
３１  光源
３２  画像処理部
３３  画像送信部
３４  画像制御部
【図１】
2005001869.tif 000003
【図２】
2005001869.tif 000004